(57)【特許請求の範囲】
【請求項１】
太陽エネルギーの変換機能と屋根瓦としての機能を併せ持つ建材一体型の変換パネルを複数枚並設してなる変換領域と、太陽エネルギーの変換機能を有しておらずかつ現場において切断可能な通常の屋根パネルを複数枚並設してなる通常葺き領域とが、後者の領域が屋根面の周辺部分の少なくとも軒側に位置するように当該屋根面に葺き分けられ、前記変換領域の軒側縁部に位置する変換パネルとこのパネルの軒側に隣接する通常の屋根パネルとが、屋根流れ方向に重合され、これらが前記屋根パネルの棟側上部を覆うように形成された水切り部材を介して互いに接続され、前記屋根パネルの棟側が水切り部材で覆われると共に、水切り部材の棟側端部側が前記変換パネルの軒先端部下側に配置されていることを特徴とする太陽エネルギー変換パネルを有する屋根構造。
【請求項２】
前記変換領域の軒側縁部に位置する変換パネルの軒側端部に、接続部材を介して前記水切り部材の棟側掛止部が接続される接続部が設けられ、前記変換領域の軒側縁部に位置する変換パネルの軒側に隣接する通常の屋根パネルの棟端部側に、前記水切り部材の軒側掛止部が掛止する取付金具が設けられていることを特徴とする請求項１に記載の太陽エネルギー変換パネルを有する屋根構造。
【発明の詳細な説明】
【０００１】
【発明の属する技術分野】
本発明は、太陽エネルギー変換パネルを有する屋根構造とその施工方法に関するものである。
【０００２】
【従来の技術】
従来より、太陽エネルギーを変換して電気や温水として利用するエネルギー変換装置を建物の屋根に設置することにより、省エネルギー化に寄与する太陽エネルギー利用技術が開発されており、このうち、太陽エネルギーを電気に変換するソーラーセルを有する太陽電池パネルを屋根に並設するようにしたソーラー屋根構造が知られている。
かかるソーラー屋根構造に使用する太陽電池パネルとして、既設の屋根瓦の上にレールを介して後付けで設置される据え置き型のものと、通常の屋根パネルと同じように屋根面（野地板）に葺き上げることができる屋根瓦としての機能を併せ持つ建材一体型のものがあり、この建材一体型の太陽電池パネルは、金属製の矩形の瓦基板の上面に太陽電池を張り付けることによって構成されている（例えば、特開平１０─７２９１０号公報、特開平７─２９２９０７号公報、特公平５─３１８３２号公報参照）。
【０００３】
【発明が解決しようとする課題】
この種の建材一体型の太陽電池パネルでは、内部にソーラーセルを有している関係で施工現場において種々の形状に加工することができないので、軒先部や傾斜棟部といった屋根面の周辺部分に対する納まりを見栄えよくするために特別な形状の部材を製作する必要があり、同周辺部分に対する葺き納めが非常に困難であるという問題がある。
例えば、特開平１０─１３１４４０号公報や特開平１０─１３１４４１号公報に記載の発明では、三角形や台形等の特殊な形状の太陽電池パネルやダミーパネルを予め作成しておいて、この異形パネルを屋根面の傾斜部分に近接するデッドスペースに設置することにより、傾斜棟を有する方形屋根の屋根面に対しても違和感のない外観を実現するようにしている。
【０００４】
しかるに、このような特殊な形状の太陽電池パネルやダミーパネルで屋根面のデッドスペースをすべて埋める手段では、屋根面全体がすべて太陽電池パネルで葺かれたような外観が得られるだけであるから、太陽電池パネルを設置しない他の屋根面との意匠の整合性が得られないとともに、施工主の要望に応じた種々の屋根の外観を提供できないという欠点がある。
また、予め作成しておいた特殊な形状の太陽電池パネルやダミーパネルで屋根面のデッドスペースを埋める手段では、屋根面の縦横長さや傾斜棟の傾斜度合いの変化に応じて各種のパネルを用意しておく必要があるため、多様化するユーザーの要望に応じるためには多大な材料コストが必要になるという欠点もある。
【０００５】
本発明は、このような実情に鑑み、材料コストの増大や他の屋根面との意匠の不整合を招来することなく、屋根面の周辺部分に対する葺き納めを容易にして施工コストを低減することを目的とする。
【０００６】
【課題を解決するための手段】
上記目的を達成するために、本発明は次の技術的手段を講じた。
すなわち、本発明の屋根構造は、太陽エネルギーの変換機能と屋根瓦としての機能を併せ持つ建材一体型の変換パネルを複数枚並設してなる変換領域と、太陽エネルギーの変換機能を有しておらずかつ現場において切断可能な通常の屋根パネルを複数枚並設してなる通常葺き領域とが、後者の領域が屋根面の周辺部分に位置するように当該屋根面に葺き分けられていることを特徴とする。
【０００７】
上記の本発明によれば、通常の屋根パネルよりなる通常葺き領域を例えば軒先部や傾斜棟部といった屋根面の周辺部分に設置するようにしているので、同屋根面の周辺部分に対する葺き納めを従来通りの一般的な部材によって容易にかつ安価に行うことができる。
また、屋根面の周辺部分に位置する通常葺き領域が切断可能な通常の屋根パネルより構成されているため、変換パネルを設置しない他の屋根面との意匠の整合性も得られやすいとともに、屋根面の縦横長さや傾斜棟の傾斜度合いが変化しても、通常の屋根パネルの切断形状を適当に変更するだけで対応することができ、施工主の要望に応じた種々の屋根の外観を提供することができる。
【０００８】
上記の本発明において、切断可能な通常の屋根パネルとしては、例えば、セメント系硬化材やセラミックス等を一定温度で加熱養生して製造された窯業系材料により構成することができる。
また、本発明において、変換領域と通常葺き領域の接続部分での防水性を確保すべく、変換領域の縁部に位置する変換パネルとこのパネルに隣接する通常の屋根パネルは、これらの接合部分の防水機能を有する水切り部材を介して互いに接続することが好ましい。
【０００９】
本発明の屋根構造は、切妻屋根、寄せ棟屋根又は方形屋根等の種々の形態の屋根に採用することができる。
このうち、平面形状が正方形又は矩形に形成された屋根面を有する切妻屋根の場合には、その屋根面上に、変換パネルをストレート葺きにより正方形又は矩形に配列してなる変換領域をその各辺が前記屋根面の各辺と平行となるように配置することにより、本発明を実施することができる。
また、平面形状が三角形又は台形に形成された屋根面を有する寄せ棟屋根や方形屋根の場合には、その屋根面上に、変換パネルを千鳥葺きによりほぼ三角形又は台形に配列してなる変換領域をその左右両側の階段状部分の傾斜方向が前記屋根面の傾斜辺に沿うように配置することにより、本発明を実施することができる。
【００１０】
また、上記の屋根構造を施工するには、次の第一〜第三工程をその順に施工して行くことが好ましい。
（１）  太陽エネルギーの変換機能と屋根瓦としての機能を併せ持つ建材一体型の変換パネルを複数枚並設して屋根面上に変換領域を設置する第一工程
（２）  前記変換領域が設置された前記屋根面の周辺部分に、エネルギーの変換機能を有しておらずかつ現場において切断可能な通常の屋根パネルを複数枚並設してなる通常葺き領域を設置する第二工程
（３）  前記通常葺き領域の外縁部を構成する通常の屋根パネルを前記屋根面の棟部、軒先部又はけらば部若しくはこれらのすべてに対して葺き納める第三工程
この場合、通常葺き領域を設置する第二工程を変換領域を設置する第一工程の後に行うようにしているので、屋根面に対する変換領域の設置位置が若干ずれていても、その後に施工される通常葺き領域を構成する屋根パネルの切断長さを現地調整することにより、外観形状に違和感のない屋根を施工できる。
【００１１】
【発明の実施の形態】
以下、図面に基づいて本発明の実施の形態を説明する。
図１〜図９は本発明の第一の実施形態を示している。
図１に示すように、本実施形態の屋根構造は、平面形状が矩形に形成された一対の屋根面１，２を有する切妻屋根よりなり、このうちの一方の屋根面１に、建材一体型の太陽電池パネル３よりなる複数の変換パネルを並設してなる変換領域４が設置されていて、他方の屋根面２は、その変換領域４を備えておらず、後述する通常の屋根パネル５のみで構成されている。
【００１２】
この場合の変換領域４は、矩形の太陽電池パネル３を上下の位相がずれないようにストレート葺きすることによって矩形に配列されており、その各辺が一方の屋根面１の各辺と平行となるように配置されている。
この一方の屋根面１における上記変換領域４が設置されていない周辺部分（余りの領域）には、現場において切断可能な通常の屋根パネル５を複数枚並設してなる通常葺き領域６が設置されており、当該一方の屋根面１は、それらの変換領域４と通常葺き領域６とに大きく二分されるように葺き分けられている。
【００１３】
本実施形態では、通常の屋根パネル５として、セメント系硬化材やセラミックス等を一定温度で加熱養生して製造された窯業系材料により構成された平板形状の屋根瓦（例えば、（株）クボタ製のコロニアル（商品名））を採用している。なお、各屋根面１，２の形状は正方形であってもよい。
本実施形態の太陽電池パネル３は、通常の屋根パネル５と同様に、野地板７の上面に敷設したアスファルトルーフィング等よりなる防水シート８上に釘止め又はねじ止め９によって直接固定されている（図３及び図６参照）。
【００１４】
すなわち、図５に示すように、本実施形態で使用する太陽電池パネル３は、通常の屋根パネル５と同じように野地板７にレール無しで葺き上げることができる屋根瓦としての機能を併せ持つ建材一体型のもので、ソーラーセルをガラスで封入してなる太陽電池１０を板金製の矩形の瓦基板１１の上面に張り付けて構成されたパネル本体１２と、このパネル本体１２の裏面側に着脱自在に接合されてその下地となるベース部材１３と、を備えている。
図５〜図８に示すように、瓦基板１１の棟側端部には、軒側（図７の左側）に開口したコの字状に折り返された水返し片１４が屈曲形成され、この水返し片１４に太陽電池１０の棟側端部が嵌合されている。この水返し片１０の上側平坦部は棟側重合片１５とされ、瓦基板１１における水返し片１４よりも更に棟側の部分には、上方に開口する排水横樋１６が一体に形成されている。
【００１５】
一方、瓦基板１１の軒側端部には、取り付け片１７と折り返し片１８と軒側重合片１８とが一体に形成されている。このうち、取り付け片１７は瓦基板１１の軒側端部を下方に屈曲して形成され、折り返し片１８はその取り付け片１７の下端部を棟側に折り返して形成され、軒側重合片１９はその折り返し片１８の先端部を軒側に折り返して形成されている。
図５に示すように、ベース部材１３は、パネル本体１２の踏み強度や断熱性を保つための下地材として機能するもので、軒側端部から棟側端部に向けて徐々に肉厚が薄くなる断面楔形の板状に形成された発泡樹脂よりなる。このベース部材１３の幅方向中央部の軒側には、パネル本体１２側の端子ボックス（図示せず）を収納する収納凹部２０が設けられ、同ベース部材１３の下面には、配線コード（図示せず）が通過する配線通路２１が縦方向に延びて形成されている。
【００１６】
このベース部材１３の左右両側には、帯状の金属板材よりなる補強プレート２２が固定されている。この補強プレート２２の軒側端部には、野地板７及びパネル本体１２に対する固定部を構成する吊り子２３が固定され、同補強プレート２２の棟側端部には、パネル本体１２の棟側端部を掛止する掛止片２４が形成されている。
図６に示すように、吊り子２３は、帯状の金属板材をほぼコ字形に屈曲形成してなり、野地板７に対する釘止め部２５を前端部に備えている。また、吊り子２３の上端部には、前記取り付け片１７がストッパー金具２６を介して止めねじ２７で固定されている。
【００１７】
従って、瓦基板１１と太陽電池１０とからなるパネル本体１２は、瓦基板１２の棟側端部に形成された排水横樋１６を補強プレート２２の掛止片２４に嵌合させた状態で、瓦基板１１の軒側端部に形成された取り付け片１７を吊り子２３の上端部に止めねじ２７で固定することにより、ベース部材１３に対して着脱自在に取り付けられている。
また、取り付け片１７とともに吊り子２３にねじ止めされる前記ストッパー金具２６は棟側に突出する爪部を有しており、この爪部に瓦基板１１の上面に接着剤等で張り付けた太陽電池１０の軒側端部を引っ掛けることにより、太陽電池１０が瓦基板１１に対して屋根流れ方向にずれるのを規制している。
【００１８】
図５に示すように、ベース部材１２の幅方向縁部には、金属製の排水縦樋２８が接着剤等で固定され、この排水縦樋２８の棟側端部に、前記排水横樋１６の開放端部がやや上下に離間した状態で接続されている。また、この排水縦樋２８の軒側端部は、一つ下段に位置する太陽電池パネル３の排水縦樋２８又は排水横樋１６に届く程度にまでベース部材１３の前端面から突出している。
図６〜図８に示すように、屋根流れ方向に隣接する太陽電池パネル３，３同士の接続は、それらの重合部分に断面ほぼコ字状に屈曲形成された長尺の接続部材２９を軒側から差し込むことによって行われる。
【００１９】
すなわち、本実施形態の太陽電池パネル３は、当該電池パネル３の棟側端部を一つ棟側に既に設置されている他の電池パネル３の軒側端部に差し込むことにより、当該電池パネル３の棟側重合片１５を他の太陽電池パネル３の軒側重合片１９の下面側に重合させ、このようにして重合された両重合片１５，１９に接続部材２９を軒側から差し込むことにより、他の電池パネル３に対して接合するようになっている。
従って、本実施形態の太陽電池パネル３によれば、棟側（屋根流れ方向上側）から軒側（同方向下側）に向かって順次葺き下げ行くことができるので、当該パネル３を軒側から棟側に向かって葺き上げて行く場合に比べて施工が極めて楽になるとともに、作業者が当該パネル３を踏みつけることに伴う太陽電池１０の破損や断線事故を可及的に防止することができる。
【００２０】
図１に示すように、太陽電池パネル３を並設してなる変換領域４は、大棟を構成する棟包み部材３１に接合されていて、図２はこの場合の棟部の納まりを示している。
図２において、変換領域４が設置されない他方の屋根面２には、通常の屋根パネル５が野地板７の棟側端縁に至るまで配置されており、この屋根パネル５の棟側端部に固定した笠木３２に、金属製の前記棟包み部材３１の側面部が釘止めされている。
【００２１】
これに対して、変換領域４が設置される一方の屋根面１を構成する野地板７の棟側端縁には長尺の支持金具３３が固定されており、この支持金具３３の上面側に、棟包み部材３１の側面部がねじ止めされている。また、この支持金具３３には、カバー部３４を有する雨押さえ部材３５がねじ止めされていて、この雨押さえ部材３５のカバー部３４で太陽電池パネル３の棟側端部を上から被覆した状態で、同パネル３４が雨押さえ部材３５に接合されている。
一方、本実施形態の変換領域４は、その左右両側縁と軒側縁が屋根面１の両切妻部と軒先から十分に離れるように配置されており、この変換領域４によってフォローされない当該屋根面１の周辺部分に、前記通常の屋根パネル５よりなる通常葺き領域６が設けられている。
【００２２】
図３は、上記変換領域４の軒側縁部に位置する太陽電池パネル３とこのパネル３に隣接する通常の屋根パネル５との接続構造を示している。
同図において、通常の屋根パネル５の棟側端部は、吊り子２３の内部に嵌合された状態で釘止め９されており、この屋根パネル５と太陽電池パネル３とが水切り部材３６で防水された状態で互いに接続されている。
この場合の水切り部材３６は、太陽電池パネル３の軒側重合片１９に前記接続部材２９を介して連結される棟側掛止部３７と、通常の屋根パネル５の上面にスクリュ釘９Ａによって固定した取付金具３８に引っ掛かけられる軒側掛止部３９とを備えた金属製の板材よりなり、軒側から吹き上げてくる風雨が太陽電池パネル３の裏面側に入り込むのを防止する。
【００２３】
すなわち、水切り部材３６は、その軒側掛止部３９を取付金具３８の前端に引っ掛けるとともに、その棟側掛止部３７を太陽電池パネル３の軒側重合片１９の下面側に重合させた状態で、太陽電池パネル３と通常の屋根パネル５との接合部分に介装されていて、互いに重合された軒側重合片１９と棟側掛止部３７とに前記接続部材２９を軒側から差し込むことより、太陽電池パネル３の軒先側端部に接続されている。
他方、図４は、変換領域４の幅方向両縁部に位置する太陽電池パネル３とこのパネル３に隣接する通常の屋根パネル５との接続構造を示している。
【００２４】
同図において、太陽電池パネル３と通常の屋根パネル５とは、屋根流れ方向（図４の紙面貫通方向）に長い面戸部材４０を介して互いに突き合わせ状に配置され、この面戸部材４０の下面側に、太陽電池パネル３の下面側に至る水切り板部を有する断面ほぼＬ字形の第一水切り部材４１が介装されている。
第一水切り部材４１の立ち上がり部には、断面ほぼＬ字形の第二水切り部材４２が接続され、この第二水切り部材４２の水切り板部上に通常の屋根パネル５が載置されている。このため、太陽電池パネル３と通常の屋根パネル５との接合部分から下方に浸入した雨水は、この両水切り部材４１，４２の水切り板部によって屋根流れ方向下方へ流れて排水されるようになっている。
【００２５】
なお、図示を省略しているが、通常葺き領域４の外縁部を構成する通常の屋根パネル５は、軒先用の屋根パネル（スターター）や従前のけらば役物等によって屋根面１の軒先部又はけらば部に対して葺き納められている。
次に、上記屋根構造の施工方法とその作用を説明する。
まず、一方の屋根面１の野地板７に敷設した防水シート８上に、太陽電池パネル３を棟側から順に葺いて行ってストレート葺きし、当該屋根面１よりも小さい矩形の変換領域４を構成する。
【００２６】
次に、当該屋根面１の周辺部分に当たる幅方向両側縁部と軒側縁部に通常の屋根パネル５を複数枚並設して通常葺き領域６を構成し、この通常葺き領域６を前記各水切り部材３６，４１，４２を介して変換領域４の幅方向両縁と軒側縁に接続する。
その後、通常葺き領域６の外縁部を構成する通常の屋根パネル５を、常用される軒先用の屋根パネルや従前のけらば役物（図示せず）等によって当該屋根面１の軒先部及びけらば部に対して葺き納めることにより、太陽電池パネル３を有する屋根構造の施工が完了する。
【００２７】
このように、本実施形態の屋根構造によれば、通常の屋根パネル５よりなる通常葺き領域６を屋根面１の軒先部や切り妻部に設置しているので、この屋根面１の周辺部分に対する葺き納めを従来から常用されている一般的な部材によって容易にかつ安価に行うことができる。
また、屋根面１の周辺部分に位置する通常葺き領域６が切断可能な通常の屋根パネル５よりなるため、太陽電池パネル３を設置しない他の屋根面２に設置される屋根パネル５との意匠の整合性も得られやすくなるし、屋根面１の縦横長さが変化しても、通常の屋根パネル５の切断形状を適当に変更するだけで対応できるので、施工主の要望に応じた種々の屋根の外観を提供することができる。
【００２８】
例えば、図９は矩形の屋根面を有する各種の屋根構造について、本発明を適用した場合の変換領域４の配置例を示している。同図に示すように、屋根面１の縦横長さが種々に変化しても、変換領域４の周囲に配置される通常葺き領域６の範囲を自由に調整することにより、太陽電池パネル３を有する屋根構造の設計自由度を多様化することができる。
また、本実施形態の施工方法によれば、通常葺き領域６の施工を変換領域４の施工の後に行うようにしているので、屋根面１に対する変換領域４の設置位置が若干ずれていても、その後に施工される通常葺き領域６を構成する屋根パネル５の切断長さを現地調整することにより、外観形状に違和感のない屋根を施工することができる。
【００２９】
図１０〜図１４は、本発明の第二の実施形態を示している。
図１４に示すように、本実施形態の屋根構造は、平面形状が三角形又は台形に形成された屋根面１を有する寄せ棟屋根よりなり、その屋根面１上に、太陽電池パネル３を千鳥葺きによりほぼ三角形又は台形に配列してなる変換領域４が設置されており、その左右両側の階段状部分の傾斜方向が屋根面１の傾斜辺（傾斜棟）に沿うように配置されている。
なお、変換領域４の周辺部分に通常葺き領域６が設置されている点は、第一の実施形態の場合と同様である。
【００３０】
本実施形態では、太陽電池パネル３を千鳥葺きすることによって変換領域６を構成しているので、図１０及び図１１に示す傾斜対応の水切り部材４４が使用されている。
この水切り部材４４は、台形状の取付基板４５の傾斜辺に水切り板部４６を屈曲形成してなる下地プレート４７と、取付基板４５の上面に固定されたガラス製のダミープレート４８と、取付基板４５の前端部に固定した支持金具４９と、を備えている。
【００３１】
ダミープレート４８は、太陽電池１０とほぼ同じ外観の表面を有し、軒側の長辺５０と棟側の短辺５１との差が千鳥葺きされる太陽電池パネル３の上下の位相のずれとほぼ同じになる台形状に形成されている。
このため、図１０に示すように、千鳥葺きされる各太陽電池パネル３の幅方向端部に当該水切り部材４４を接続するとにより、各水切り部材４４の水切り板部４６が互いに接続され、階段状を呈する変換領域４の縁部に水切り板部４６が一直線に並ぶ排水部５２が形成されることになる。
【００３２】
そこで、この排水部５２に、斜めに切断した通常の屋根パネル５の切断部分を接続することにより、千鳥葺きされた変換領域４の側方に通常葺き領域６を施工することができる。
なお、通常葺き領域６は通常の屋根パネル５よりなるので、常用の傾斜棟包み（図示せず）によって屋根面１の傾斜棟部に納めることができる。
図１４に示すように、本実施形態の場合にも、屋根面１の縦横長さや傾斜棟の傾斜度合いが種々に変化しても、変換領域４の周囲に配置される通常葺き領域６の範囲を自由に調整することにより、太陽電池パネル３を有する屋根構造の設計自由度を多様化することができる。
【００３３】
図１２及び図１３は、傾斜対応の水切り部材４４Ａの変形例を示している。
この場合の水切り部材４４Ａは、下地プレート４７の取付基板４５が三角形状に形成されており、この取付基板４５の下面側に太陽電池パネル３の場合と同様の発泡樹脂よりなるベース部材５３が固定されており、また、取付基板４５の縁部に太陽電池パネル３の場合と同様の排水縦樋５４が形成されている。
なお、その他の構成は図１０及び図１１の場合と同様であるので、図１２及び図１３に同一符号を付することにより、水切り部材４４Ａの詳細な構造説明は省略する。
【００３４】
本発明は上記各実施形態に限定されるものではない。
例えば、変換領域４を屋根面１の大棟部から離して設置し、大棟部と変換領域４との間に通常葺き領域６を配置することもできる。
また、本発明は、三角形の屋根面だけで構成される方形屋根にも採用できるし、太陽電池パネル３以外の変換パネルの場合にも採用することができる。
【００３５】
【発明の効果】
以上説明したように、本発明によれば、変換パネルよりなる変換領域を屋根面に設置するに当たり、通常の屋根パネルよりなる通常葺き領域を屋根面の周辺部分に設置するようにしたので、材料コストの増大や他の屋根面との意匠の不整合を招来することなく、屋根面の周辺部分に対する葺き納めを容易にして施工コストを低減することができる。
【図面の簡単な説明】
【図１】太陽電池パネルを並設してなる変換領域を有する切妻屋根の平面図である。
【図２】図１のＡ─Ａ線断面図である。
【図３】図１のＢ─Ｂ線断面図である。
【図４】図１のＣ─Ｃ線断面図である。
【図５】太陽電池パネルの組立斜視図である。
【図６】太陽電池パネルの屋根流れ方向の接続構造を示す断面図である。
【図７】接続部材を差し込んだ後の太陽電池パネルの接続部の拡大断面図である。
【図８】接続部材を差し込む前の太陽電池パネルの接続部の拡大断面図である。
【図９】変換領域の配置パターンが異なる各種屋根構造の平面図である。
【図１０】千鳥葺きされた変換領域の側部の斜視図である。
【図１１】傾斜対応の水切り部材の斜視図である。
【図１２】千鳥葺きされた変換領域の側部の斜視図である。
【図１３】傾斜対応の水切り部材の斜視図である。
【図１４】変換領域の配置パターンが異なる各種屋根構造の平面図である。
【符号の説明】
１      屋根面
３      太陽電池パネル（変換パネル）
４      変換領域
５      屋根パネル
６      通常葺き領域
３６      水切り部材
４１      水切り部材
４２      水切り部材
４４      水切り部材
【図１】
0003660520.tif 000002
【図２】
0003660520.tif 000003
【図３】
0003660520.tif 000004
【図４】
0003660520.tif 000005
【図５】
0003660520.tif 000006
【図６】
0003660520.tif 000007
【図７】
0003660520.tif 000008
【図８】
0003660520.tif 000009
【図９】
0003660520.tif 000010
【図１０】
0003660520.tif 000011
【図１１】
0003660520.tif 000012
【図１２】
0003660520.tif 000013
【図１３】
0003660520.tif 000014
【図１４】
0003660520.tif 000015